(57)【要約】【課題】封止手段の機能を維持したままで、基板ケースの開放に従来よりも時間と手間がかかるようにすることにより、基板ケース開封によるゴト行為を効果的に防止できる遊技機を提供する。【解決手段】ケース本体８１とケース蓋体８２とで開閉可能に構成され且つ内部に基板３１を格納可能な基板ケース３２と、ケース本体８１とケース蓋体８２とを閉鎖状態で封止可能な封止手段８４と、遊技機本体１に設けられ且つ基板ケース３２を装着可能な基板ケース装着部６０とを備え、基板ケース３２は、封止手段８４による封止後は損壊部１０７を損壊しなければ開封できないように構成された遊技機で、損壊部１０７を、基板ケース３２における基板ケース装着部６０への装着面８５ａ側からのみ損壊可能に設けた。【選択図】図８
2008093095.tif 000002
【特許請求の範囲】
【請求項１】
ケース本体（８１）とケース蓋体（８２）とで開閉可能に構成され且つ内部に基板（３１）を格納可能な基板ケース（３２）と、前記ケース本体（８１）と前記ケース蓋体（８２）とを閉鎖状態で封止可能な封止手段（８４）と、遊技機本体（１）に設けられ且つ前記基板ケース（３２）を装着可能な基板ケース装着部（６０）とを備え、前記基板ケース（３２）は、前記封止手段（８４）による封止後は該封止手段（８４）の損壊部（１０７）を損壊しなければ開封できないように構成された遊技機において、前記損壊部（１０７）を、前記基板ケース（３２）における前記基板ケース装着部（６０）への装着面（８５ａ）側からのみ損壊可能に設けたことを特徴とする遊技機。
【請求項２】
前記基板ケース（３２）は、前記封止手段（８４）のうちの少なくとも前記損壊部（１０７）を収容する封止収容部（３２ｂ）と、その封止収容部（３２ｂ）を前記基板ケース（３２）の外部に連通させる損壊用開口部（８９）とを備え、該損壊用開口部（８９）を、前記基板ケース装着部（６０）への装着面（８５ａ）に設けたことを特徴とする請求項１に記載の遊技機。
【請求項３】
ケース本体（８１）とケース蓋体（８２）とで開閉可能に構成され且つ内部に基板（３１）を格納可能な基板ケース（３２）と、前記ケース本体（８１）と前記ケース蓋体（８２）とを閉鎖状態で封止可能な封止手段（８４）と、遊技機本体（１）に設けられ且つ前記基板ケース（３２）を装着可能な基板ケース装着部（６０）とを備え、前記基板ケース（３２）は、前記封止手段（８４）による封止後は該封止手段（８４）の損壊部（１０７）を損壊しなければ開封できないように構成された遊技機において、前記基板ケース（３２）は、前記封止手段（８４）のうちの少なくとも前記損壊部（１０７）を収容する封止収容部（３２ｂ）と、その封止収容部（３２ｂ）を前記基板ケース（３２）の外部に連通させる損壊用開口部（８９）とを備え、該損壊用開口部（８９）を、前記基板（３１）の縁部を取り囲むように配置される前記基板ケース（３２）の側面に設け、前記基板ケース装着部（６０）側に、前記損壊用開口部（８９）を外側から覆う封止カバーを設けたことを特徴とする遊技機。
【請求項４】
前記基板ケース（３２）は、前記封止手段（８４）による封止操作を行うための封止用開口部（１０８）を備え、該封止用開口部（１０８）を、前記基板ケース装着部（６０）側以外の面に設けたことを特徴とする請求項１〜３の何れかに記載の遊技機。
【発明の詳細な説明】
【技術分野】
【０００１】
本発明は、パチンコ機、スロットマシン等の遊技機に係り、詳しくは、ケース本体とケース蓋体とで開閉可能に構成され且つ内部に基板を格納可能な基板ケースと、前記ケース本体と前記ケース蓋体とを閉鎖状態で封止可能な封止手段と、遊技機本体に設けられ且つ前記基板ケースを装着可能な基板ケース装着部とを備え、前記基板ケースは、前記封止手段による封止後は前記基板ケースに設けられた損壊用開口部を介してその内部の前記損壊部を損壊しなければ開封できないように構成された遊技機に関するものである。
【背景技術】
【０００２】
パチンコ機等の遊技機では、各種制御基板等が基板ケースに格納された状態で本体裏側等に装着されている。一般的な基板ケースは、ケース本体とケース蓋体とを開閉可能に組み合わせることにより略箱形となるように構成されている。
【０００３】
また、遊技機の基板ケースには、制御基板に対する不正防止のための封止手段を備えたものがある。この封止手段は、ケース本体とケース蓋体とを閉鎖状態で現状復帰不能に封止するもので、一旦制御基板を格納したまま封止してしまうと、その一部の損壊部を損壊して開封の痕跡を残さない限り、基板ケースを開いて内部の制御基板を取り出すことはできないようになっている（例えば特許文献１）。
【０００４】
ところで、この種の遊技機に対するゴト行為として、例えば前扉を僅かに開いてその後側に手を入れ、基板ケースの損壊部を損壊して基板ケースを開放し、内部のＲＯＭを不正ＲＯＭに交換するといった行為が問題となっている。
【特許文献１】特開２００３−３８８０５号公報
【発明の開示】
【発明が解決しようとする課題】
【０００５】
上記のようなゴト行為は、遊技ホール内で他人の目を盗んで短時間で行う必要がある。その点、特許文献１に記載のような従来の遊技機では、基板ケースを遊技機本体に装着したままで損壊部を損壊し、基板ケースを短時間で容易に開放することが可能であったため、上記のようなゴト行為を行うには好都合であったと考えられる。
【０００６】
そこで、上記のようなゴト行為を防止する方策として、基板ケースの開放に従来よりも時間と手間がかかるようにすることが有効であると考えられる。但し、封止手段は従来通り有効に機能させる必要がある。
【０００７】
本発明は、上記事情に鑑みてなされたものであり、その目的とするところは、封止手段の機能を維持したままで、基板ケースの開放に従来よりも時間と手間がかかるようにすることにより、基板ケース開封によるゴト行為を効果的に防止できる遊技機を提供することにある。
【課題を解決するための手段】
【０００８】
本発明は、ケース本体８１とケース蓋体８２とで開閉可能に構成され且つ内部に基板３１を格納可能な基板ケース３２と、前記ケース本体８１と前記ケース蓋体８２とを閉鎖状態で封止可能な封止手段８４と、遊技機本体１に設けられ且つ前記基板ケース３２を装着可能な基板ケース装着部６０とを備え、前記基板ケース３２は、前記封止手段８４による封止後は該封止手段８４の損壊部１０７を損壊しなければ開封できないように構成された遊技機において、前記損壊部１０７を、前記基板ケース３２における前記基板ケース装着部６０への装着面８５ａ側からのみ損壊可能に設けたものである。
【０００９】
更に本発明は、ケース本体８１とケース蓋体８２とで開閉可能に構成され且つ内部に基板３１を格納可能な基板ケース３２と、前記ケース本体８１と前記ケース蓋体８２とを閉鎖状態で封止可能な封止手段８４と、遊技機本体１に設けられ且つ前記基板ケース３２を装着可能な基板ケース装着部６０とを備え、前記基板ケース３２は、前記封止手段８４による封止後は該封止手段８４の損壊部１０７を損壊しなければ開封できないように構成された遊技機において、前記基板ケース３２は、前記封止手段８４のうちの少なくとも前記損壊部１０７を収容する封止収容部３２ｂと、その封止収容部３２ｂを前記基板ケース３２の外部に連通させる損壊用開口部８９とを備え、該損壊用開口部８９を、前記基板３１の縁部を取り囲むように配置される前記基板ケース３２の側面に設け、前記基板ケース装着部６０側に、前記損壊用開口部８９を外側から覆う封止カバーを設けたものである。
【発明の効果】
【００１０】
本発明によれば、損壊部１０７を損壊して基板ケース３２を開封するためには基板ケース３２を基板ケース装着部６０から取り外す必要があり、従来よりも手間と時間を要することから遊技ホール内で他人の目を盗んで短時間で基板ケース３２を開封することは困難であり、基板ケース開封によるゴト行為を効果的に防止できる。
【発明を実施するための最良の形態】
【００１１】
以下、本発明の実施形態を図面に基づいて詳述する。図面は本発明をパチンコ機として具現化した実施例を示す。図１において、遊技機本体１は、矩形枠状の外枠２と、この外枠２の前側に配置された前枠３とを備えている。前枠３は左端側の上下一対のヒンジ４を介して外枠２に着脱及び開閉自在に装着されている。
【００１２】
前枠３の上部側には遊技盤５が着脱自在に装着されると共に、遊技盤５の前側にガラス扉６が、ガラス扉６の下側に隣接して前面板７が夫々配置されている。ガラス扉６、前面板７はヒンジ４と同一側のヒンジ（図示省略）により前枠３に開閉自在に枢支されている。前面板７には発射用の遊技球を貯留する上皿８が装着されている。また前枠３の下部には、余剰球を貯留する下皿９と、発射手段１０の発射ハンドル１１とが夫々設けられている。
【００１３】
遊技盤５の前側には、発射手段１０によって発射された遊技球を案内するガイドレール１２が環状に装着されると共に、そのガイドレール１２内の遊技領域１３の上部側に、表示窓１４を有する表示枠１５が装着され、また表示枠１５の下側に特別図柄始動手段１６、大入賞手段１７、普通入賞手段１８等が、表示枠１５の一側方に普通図柄始動手段１９が夫々配置されている。
【００１４】
遊技盤５の裏側には、図２及び図３に示すように、表示枠１５の表示窓１４に対応して配置され且つ固定板２２により遊技盤５に固定された液晶表示パネル２０、この液晶表示パネル２０を固定板２２と共に裏側から覆う保護カバー２３、この保護カバー２３の下側に近接して遊技盤５に固定された集球ケース２４、保護カバー２３の裏側の収容凹部２６内に配置されたドライバ基板２１及び電源インターフェース基板２７、演出制御基板２８を収容し且つ収容凹部２６を裏側から塞ぐように保護カバー２３の裏側に着脱自在に固定された演出制御基板ケース２９、集球ケース２４内に配置された中継基板３０、主制御基板３１を収容し且つ集球ケース２４の裏側に着脱自在に固定された主制御基板ケース３２等が設けられている。
【００１５】
表示枠１５は、遊技盤５の前面側に当接して装着されたベース板３３と、ベース板３３の前面に固定され前側に突出する飾り部３４と、飾り部３４の下部側に形成されたステージ部３５と、ベース板３３、飾り部３４等の内周から後方に屈曲する窓枠部３６と、窓枠部３６の後端側に装着された透明な窓板３７とを備えている。
【００１６】
窓枠部３６は遊技盤５の開口３８に前側から嵌合され、その後端部側が、窓板３７を介して液晶表示パネル２０の表示画像を視認可能な表示窓１４となっている。ステージ部３５は飾り部３４の一側の球入り口３９から入った遊技球をその下側の落下口４０へと案内するためのもので、窓板３７と同様に透明に形成されている。
【００１７】
液晶表示パネル２０は偏平な横長矩形状に構成されており、演出制御基板２８の制御により、ドライバ基板２１を介して駆動され、特別図柄始動手段１６の遊技球の検出を条件に所定時間変動して大当たり図柄、外れ図柄の何れかで停止する１個又は複数個の演出図柄の変動画像、大当たり発生時の演出画像等の各種の画像を表示可能である。
【００１８】
液晶表示パネル２０は、板金製の固定板２２の前面側に装着された状態で、その前面が窓板３７の後側に近接又は当接するように、固定板２２を介して遊技盤５の裏側に固定されている。
【００１９】
保護カバー２３は、前側が開放した背面視略矩形状の箱形に形成されており、その前側を液晶表示パネル２０及び固定板２２で略塞ぐように例えば固定板２２の裏側に着脱自在に固定されている。
【００２０】
保護カバー２３には、その背壁部４１から前向きに固定基部４２が複数突設されており、この固定基部４２が固定板２２の背面側にネジ止め等により着脱自在に固定されている。
【００２１】
また、保護カバー２３には、背壁部４１の上縁部及び左右の側縁部に沿って周壁部４３が後ろ向き突出状に一体形成されており、背壁部４１の後側で且つ周壁部４３により三方を取り囲まれた領域が収容凹部２６となっている。
【００２２】
この収容凹部２６内には、液晶表示パネル２０駆動用の電源インターフェース基板２７とドライバ基板２１とが左右に隣接して配置され、背壁部４１に着脱自在に固定されている。なお、ドライバ基板２１は、収容凹部２６内に収容され且つ背壁部４１に対して着脱自在に固定される基板カバー４４により後側から覆われている。
【００２３】
中継基板３０は、遊技盤５側の特別図柄始動手段１６、大入賞手段１７等の検出スイッチ、ソレノイドその他の電気部品と、演出制御基板２８、主制御基板３１等との接続を中継するためのもので、特別図柄始動手段１６、大入賞手段１７の裏側で保護カバー２３の下側に配置された取り付け台４５に裏側から着脱自在に固定されている。
【００２４】
取り付け台４５は遊技盤５と略平行に配置されており、上側が保護カバー２３の下側の支持台４６に着脱自在に係止され、下側の左右一対の取り付け脚部４７がネジ等の固定具を介して遊技盤５に着脱自在に固定されている。
【００２５】
集球ケース２４は大入賞手段１７、特別図柄始動手段１６、普通入賞手段１８等に入賞して遊技盤５の裏側に通過した遊技球を集めて案内口４８から回収通路（図示省略）側へと案内するためのもので、図４等に示すように、上面側と前面側とが開放した略箱形に形成されており、保護カバー２３の下側に近接して配置され、遊技盤５の裏側に着脱自在に固定されている。
【００２６】
演出制御基板２８は、液晶表示パネル２０に表示される特別遊技図柄を制御する特別図柄表示制御機能、液晶表示パネル２０に表示される各種演出画像を制御する画像演出制御機能、各種表示ランプの点滅等を制御するランプ演出制御機能、スピーカからの音声を制御す音声演出制御機能等を有し、ケース本体５１とケース蓋体５２とで構成される演出制御基板ケース２９内に収容されている。
【００２７】
演出制御基板ケース２９は、保護カバー２３の裏側の基板カバー４４、電源インターフェース基板２７等の後側を覆う覆いを兼用しており、保護カバー２３側の周壁部４３の後端面を取り付け面として、収容凹部２６を後側から略塞ぐように着脱自在に装着されている。
【００２８】
主制御基板３１は、遊技盤５側の遊技部品による遊技動作を制御する遊技動作制御機能を有し、主制御基板ケース（基板ケース）３２に収容されている。主制御基板ケース３２は基板ケース装着板（基板ケース装着部）６０の裏側に着脱自在に装着されている。
【００２９】
基板ケース装着板６０は、図４等に示すように、略矩形板状の装着板本体６１と、この装着板本体６１の所定の縁部、例えば左縁部に沿って配置される中継基板収容部６２と、その中継基板収容部６２とは反対側の縁部、例えば右縁部側に配置される締結つまみ６３とを備え、集球ケース２４の後壁部６４側に形成された開口６５を略塞ぐように、下部側の左右一対のヒンジ手段６６と、上部側の左右一対の係合爪６７とにより、集球ケース２４の裏側に開閉、着脱自在に固定されている。
【００３０】
ヒンジ手段６６は、集球ケース２４の裏側下端部に一体に設けられたヒンジピン６８と、基板ケース装着板６０の下端に設けられた前後一組のヒンジ爪６９とを備えている。ヒンジピン６８は上下両側が偏平で、その左右両端が集球ケース２４から後方に突出する突部により一体に連結されている。
【００３１】
前後一組のヒンジ爪６９は、両者でヒンジピン６８を相対回動自在に抱き込むように構成され、また前後一組のヒンジ爪６９の先端側は、その先端側を偏平部分に合わせたときにヒンジピン６８に対して相対的に嵌脱できるようになっている。係合爪６７は集球ケース２４の上端部側の左右両側に設けられ、基板ケース装着板６０を閉状態にしたときに、基板ケース装着板６０に係脱自在に係合するようになっている。
【００３２】
装着板本体６１は、その背面側で且つ中継基板収容部６２と締結つまみ６３との間が主制御基板ケース３２を装着するための基板ケース装着面６１ａとなっており、その基板ケース装着面６１ａの外周部に沿って、主制御基板ケース３２を支持する支持枠７０が後ろ向き所定高さに突設されている。
【００３３】
中継基板収容部６２は、中継基板７１を収容するもので、中継基板７１の外周を取り囲むように装着板本体６１から後ろ向きに突設される周壁部７２と、中継基板７１の後側を略覆うように周壁部７２の後側に着脱自在に装着されるカバー板７３とで構成されている。
【００３４】
周壁部７２には、基板ケース装着面６１ａ側に、主制御基板ケース３２側の係合突部７４が係合可能な係合孔７５が形成されている。また、カバー板７３には、中継基板７１側のコネクタを露出させるためのコネクタ孔７３ａが形成されている。
【００３５】
締結つまみ６３は、装着板本体６１の背面側に回転軸６３ａにより揺動自在に装着されており、主制御基板ケース３２側の被締結部７６に係脱自在に係合可能となっている。
【００３６】
主制御基板ケース３２は、図４〜図７等に示すように、主制御基板３１を表裏両側から挟むケース本体８１及びケース蓋体８２と、主制御基板ケース３２の一端側でケース本体８１とケース蓋体８２とを係脱、開閉自在に結合するヒンジ手段８３と、主制御基板ケース３２の他端側でケース本体８１とケース蓋体８２とを閉鎖状態で封止可能な封止手段８４とを備え、主制御基板３１を収容可能な基板収容部３２ａと、封止手段８４を収容可能な封止収容部３２ｂとを備えた左右方向に長い矩形箱形に形成されている。
【００３７】
ケース本体８１は、略矩形板状の底板８５と、この底板８５の外周に沿って基板収容部３２ａ側に突設される外周枠８６と、主制御基板ケース３２内の空間を、例えば右側の基板収容部３２ａと左側の封止収容部３２ｂとに仕切るように底板８５に立設される仕切板８８とを一体に備え、底板８５の外面側（基板収容部３２ａ及び封止収容部３２ｂとは反対側）が、主制御基板ケース３２を基板ケース装着板６０に装着する際の装着面８５ａとなっている。
【００３８】
なお、外周枠８６及び仕切板８８の基板収容部３２ａ側には、主制御基板３１を底板８５から一定の隙間を空けた位置で支持する支持リブ８７が複数設けられている。また、基板ケース装着板６０への装着面８５ａには、封止収容部３２ｂに対応して損壊用開口部８９が形成されている。
【００３９】
更に、ケース本体８１には、例えば右端側に基板ケース装着板６０側の締結つまみ６３に対応する被締結部７６が外向き突出状に一体形成されている。この被締結部７６はケース蓋体８２側に設けてもよい。
【００４０】
ケース蓋体８２は、ケース本体８１側が開放する略矩形蓋状であって、ケース本体８１側の底板８５に対向する天板９１と、その天板９１の外周に沿って基板収容部３２ａ側に突設され且つケース本体８１側の外周枠８６の外側に嵌合する周壁部９２とを一体に備え、天板９１には主制御基板３１の表面側に設けられた電子部品に対応する中央部分に膨出部９１ａが、その周辺部、例えば上縁部及び下縁部に凹部９１ｂが夫々形成されている。
【００４１】
凹部９１ｂの底面部９３は主制御基板３１の表面に当接又は近接し、その底面部９３には主制御基板３１側のコネクタを露出させるためのコネクタ孔９５が形成されている。なお、主制御基板３１はケース本体８１とケース蓋体８２とにより挟持され、主制御基板ケース３２の中継基板収容部６２内に位置決め突起等により固定されている。
【００４２】
ヒンジ手段８３は、ケース本体８１における基板収容部３２ａ側端部、例えば右端部に一体に形成された上下一対のヒンジピン８３ａと、このヒンジピン８３ａに対応してケース蓋体８２の一端側、例えば右端側に一体に形成され且つヒンジピン８３ａに係脱、回動自在に係合する上下一対の係合片８３ｂとで構成されている。
【００４３】
係合片８３ｂは、ケース蓋体８２の右周壁部９２ａから外向きに突設されており、ケース本体８１側の外周枠８６とヒンジピン８３ａとの間からヒンジピン８３ａに対して係脱自在であり、その係合状態でヒンジピン８３ａを前側から抱き込むように、前側に突出するＵ字状その他の円弧状に湾曲形成されている。
【００４４】
更に、ケース蓋体８２には、例えば左端側に基板ケース装着板６０側の係合孔７５に対応する係合突部７４が外向き突出状に一体形成されている。主制御基板ケース３２を基板ケース装着板６０に装着する際には、ケース本体８１の装着面８５ａを基板ケース装着板６０の基板ケース装着面６１ａに沿わせつつケース蓋体８２側の係合突部７４を係合孔７５に嵌合させ、更に締結つまみ６３を回してケース本体８１側の被締結部７６に係合させる。なお、係合突部７４はケース本体８１側に設けてもよい。
【００４５】
封止手段８４は、主制御基板ケース３２におけるヒンジ手段８３とは反対側の開閉端側、例えば左端側の封止収容部３２ｂに対応して一列状に複数個（ここでは４個）配置され、それら４個の封止手段８４により最大４回までの封止、開封が可能となっている。
【００４６】
各封止手段８４は、図５〜図８、特に図８に示すように、ケース蓋体８２の天板９１と、その天板９１の内面側、即ち封止収容部３２ｂ側に固着された封止板１０１と、ケース本体８１側の例えば外周枠８６の内側に突設された離脱防止板１０２と、ケース本体８１の底板８５とに跨がって設けられている。
【００４７】
各封止手段８４は、離脱防止板１０２に形成された離脱防止部１０３と、離脱防止板１０２に当接して離脱防止部１０３に対応する封止部１０４と、封止部１０４側から離脱防止部１０３へと貫通して両者を分離不能に封止する封止ピン１０５と、封止前の封止ピン１０５を保持するピン保持部１０６と、封止部１０４及びピン保持部１０６を封止板１０１に一体に接続する損壊部１０７と、ケース蓋体８２の外側から封止ピン１０５を結合方向に押圧操作するための封止用開口部１０８と、損壊部１０７をケース本体８１の外側から切断するための損壊用開口部８９とを備え、離脱防止部１０３、封止部１０４、封止ピン１０５、ピン保持部１０６及び損壊部１０７は封止収容部３２ｂ内に収容され、封止用開口部１０８及び損壊用開口部８９はその封止収容部３２ｂを主制御基板ケース３２の外部に連通させるように夫々ケース蓋体８２側の天板９１、ケース本体８１側の底板８５に設けられており、封止時にピン保持部１０６内の封止ピン１０５を封止用開口部１０８を介して押圧操作することにより、この封止ピン１０５が封止部１０４側から離脱防止部１０３に離脱不能に係合して封止し、またその封止状態で損壊用開口部８９を介して損壊部１０７を切断することにより開封できるようになっている。
【００４８】
離脱防止部１０３は、離脱防止板１０２に形成された封止ピン１０５用の挿通スリット１１１と、この挿通スリット１１１の両側で離脱防止板１０２と一体に形成された一対の弾性係合部１１２とを備え、その各弾性係合部１１２に封止ピン１０５の案内傾斜面が形成されている。なお、離脱防止板１０２には、各挿通スリット１１１の両側に逃げ用スリット１１３が形成され、その隣り合うスリット１１１，１１３間が弾性係合部１１２となっている。
【００４９】
なお、離脱防止板１０２は、例えばケース本体８１の左側の外周枠８６から封止収容部３２ｂ内、即ち仕切板８８側に向けて底板８５に平行に突設されており、その先端側と仕切板８８との間には隙間１１４が形成されている。
【００５０】
ピン保持部１０６は封止ピン１０５を封止前の状態で保持するためのもので、角形の枠体により構成され、封止板１０１とケース蓋体８２の嵌合リブ１１５との間に配置されている。ピン保持部１０６は、その上下方向の中間に係合凸部１１６が相対向して設けられ、また先端部に、閉じたときに離脱防止板１０２に当接するように封止部１０４が一体に設けられている。封止部１０４は角形のピン挿通孔１１７を有する。損壊部１０７はニッパー等の切断具で容易に切断可能な板状であって、隙間１１４に対して天板９１側に、ピン保持部１０６の上部側中央と封止板１０１とを接続するように一体に形成されている。
【００５１】
封止ピン１０５は封止部１０４側から離脱防止板１０２の離脱防止部１０３側に貫通して、ケース本体８１とケース蓋体８２とを封止状態に結合するためのもので、封止前の封止ピン１０５はピン保持部１０６内に保持されている。封止ピン１０５は、断面矩形状の軸部１０５ａと、矩形状の係合鍔部１２０と、軸部１０５ａの先端側の台形状の係合頭部１２１と、係合鍔部１２０から上側に突出する円柱状の被操作部１２０ａとを備え、適当な弾性を有する合成樹脂材料により一体に成形されている。
【００５２】
係合鍔部１２０はピン保持部１０６に嵌合する角形状であって、封止前の状態では係合凸部１１６によりピン保持部１０６内に係止され、また封止状態では封止部１０４に上側から係合するようになっている。係合頭部１２１は封止前の状態では封止部１０４のピン挿通孔１１７に嵌合し、また封止状態では離脱防止部１０３の弾性係合部１１２に下側から離脱不能に係合するようになっている。
【００５３】
ケース蓋体８２は、その天板９１の内側に４個の嵌合枠部１２２を備え、嵌合枠部１２２にピン保持部１０６が内側（封止収容部３２ｂ側）から嵌合している。ピン保持部１０６は嵌合枠部１２２に所定の間隙をおいて遊嵌しており、損壊部１０７が損壊されて離脱防止板１０２側に結合状態にあるときに、嵌合枠部１２２に対して嵌脱自在である。嵌合枠部１２２は、嵌合リブ１１５及び天板９１に一体に形成され、また損壊部１０７に対応する位置が開放状の切り欠き部１２３となっている。
【００５４】
封止用開口部１０８は、嵌合枠部１２２の中央で天板９１に形成され、この封止用開口部１０８に封止前の封止ピン１０５の被操作部１２０ａが下側から嵌合している。封止用開口部１０８は封止ピン１０５の被操作部１２０ａに合わせた小径の丸孔であって、各封止用開口部１０８の上側に、上方に向かって円錐面状に広がる案内部１２４が設けられている。
【００５５】
損壊用開口部８９は主制御基板ケース３２を開封するときに、切断具を挿入して損壊部１０７を切断するためのもので、ケース本体８１の底板８５（装着面８５ａ）に、例えば全ての損壊部１０７に対応する大きさの長孔状に形成されている。
【００５６】
この損壊用開口部８９は、基板ケース装着板６０への装着面８５ａ側に設けられているため、主制御基板ケース３２が基板ケース装着板６０に装着された状態のときは基板ケース装着板６０により外側から閉鎖されており、そのままでは切断具を挿入することはできない。損壊用開口部８９に切断具を挿入して損壊部１０７を切断するためには、主制御基板ケース３２が基板ケース装着板６０から取り外されていなければならない。
【００５７】
なお、主制御基板ケース３２の構成部材は、封止手段８４の封止ピン１０５等を除いて、内部を極力視認できるように透明な合成樹脂材料により構成されている。これにより、主制御基板ケース３２が基板ケース装着板６０に装着された状態でも、封止手段８４による封止状態を外側から容易に確認できる。
【００５８】
上記構成のパチンコ機の組み立て工程における主制御基板ケース３２の取り付け時には、まず主制御基板ケース３２を構成するケース本体８１とケース蓋体８２とを主制御基板３１を挟み込んだ状態で結合し、４つの封止手段８４のうちの１個を用いてそれらケース本体８１とケース蓋体８２とを閉鎖状態で封止する。
【００５９】
そして、主制御基板ケース３２の装着面８５ａを基板ケース装着板６０の基板ケース装着面６１ａに沿わせつつ係合突部７４を係合孔７５に嵌合させ、更に基板ケース装着板６０側の締結つまみ６３を回して主制御基板ケース３２側の被締結部７６に係合させることにより、主制御基板ケース３２の装着作業は完了する。
【００６０】
この状態では、損壊用開口部８９が基板ケース装着板６０により外側から覆われているため、そのままではニッパー等を封止収容部３２ｂ内に挿入できず、従って損壊部１０７を切断して主制御基板ケース３２を開封することはできない。
【００６１】
主制御基板ケース３２を開封するためには、締結つまみ６３による締結を解除して主制御基板ケース３２を基板ケース装着板６０から取り外して損壊用開口部８９を開放し、封止に用いている封止手段８４に対応する損壊部１０７を切断することにより容易に行うことができるが、開封前に主制御基板ケース３２を基板ケース装着板６０から取り外す分だけ従来よりも手間と時間を要するため、その作業を遊技ホール内で他人の目を盗んで短時間で行うことは困難である。
【００６２】
正規に開封を行った後は、未使用の封止手段８４を用いて再度封止を行い、組み立て時と同様に主制御基板ケース３２を基板ケース装着板６０に取り付ければよい。
【００６３】
以上説明したように、本実施形態のパチンコ機は、封止手段８４の損壊部１０７を、主制御基板ケース３２における基板ケース装着板６０への装着面８５ａ側からのみ損壊可能に設けているため、損壊部１０７を損壊して主制御基板ケース３２を開封するためには主制御基板ケース３２を基板ケース装着板６０から取り外す必要があり、従来よりも手間と時間を要することから遊技ホール内で他人の目を盗んで短時間で主制御基板ケース３２を開封することは困難であり、基板ケース開封によるゴト行為を効果的に防止できる。
【００６４】
また、主制御基板ケース３２は、封止手段８４のうちの少なくとも損壊部１０７を収容する封止収容部３２ｂと、その封止収容部３２ｂを主制御基板ケース３２の外部に連通させる損壊用開口部８９とを備え、この損壊用開口部８９を、基板ケース装着板６０への装着面８５ａに設けているため、主制御基板ケース３２を基板ケース装着板６０に装着した状態では損壊部１０７を確実に保護できる。
【００６５】
また、主制御基板ケース３２は、封止手段８４による封止操作を行うための封止用開口部１０８を備え、この封止用開口部１０８を、基板ケース装着板６０側以外の面、即ち天板９１側に設けているため、封止操作については主制御基板ケース３２を基板ケース装着板６０に装着した状態で行うことが可能である。
【００６６】
図９〜図１２は本発明の第２の実施形態を例示し、損壊用開口部８９を、主制御基板３１の縁部を取り囲むように配置される主制御基板ケース３２の側面に設け、基板ケース装着板６０側に、損壊用開口部８９を外側から覆う封止カバー１３１を設けた例を示している。
【００６７】
本実施形態の基板ケース装着板６０には、主制御基板ケース３２の一端側を保持する保持手段として、第１の実施形態における係合孔７５に代えて封止カバー１３１が設けられている。封止カバー１３１は、例えば基板ケース装着面６１ａ側（ここでは右側）が開放し、主制御基板ケース３２の封止手段側端部（ここでは左端側）が嵌合可能な略箱形に形成されている。
【００６８】
なお、封止カバー１３１は、封止手段８４を覆う大きさに形成してもよいし、主制御基板ケース３２を基板ケース装着板６０に装着した状態でも封止作業が可能なように封止手段８４を覆わない大きさに形成してもよい。
【００６９】
封止カバー１３１は、例えば透明な合成樹脂等により形成することが望ましい。特に封止カバー１３１を封止手段８４を覆うように設ける場合、封止カバー１３１を天板９１と同様に透明とすることで、主制御基板ケース３２を基板ケース装着板６０に装着した状態でも封止手段８４による封止状態を外側から容易に確認できる。
【００７０】
また、基板ケース装着板６０には、封止カバー１３１とは反対側の縁部に第１の実施形態と同様の締結つまみ６３が設けられており、主制御基板ケース３２の左端側が封止カバー１３１により保持された状態で、主制御基板ケース３２の右端側に設けられた被締結部７６に係脱自在に係合して主制御基板ケース３２の右端側を保持するようになっている。
【００７１】
ケース本体８１には、第１の実施形態のような仕切板８８は設けられず、外周枠８６の内側全体が基板収容部３２ａとなっており、主制御基板３１は、その外縁部が外周枠８６の内側に嵌合するように装着されている。また、外周枠８６には、離脱防止板１０２の後側（ケース本体８１側）に対応する部分に切欠部１３２が形成されている。
【００７２】
第１の実施形態ではケース本体８１の底板８５に設けられていた損壊用開口部８９は、本実施形態ではケース蓋体８２の周壁部９２に、ケース本体８１側の切欠部１３２に対応して設けられている。
【００７３】
封止手段８４は、損壊部１０７がピン保持部１０６に対して主制御基板ケース３２の側面側、即ち周壁部９２側にくるように配置されている以外、基本的構成は第１の実施形態と同じである。
【００７４】
即ち、本実施形態では、封止板１０１が第１の実施形態とは左右逆であり、損壊部１０７が、周壁部９２に設けられた損壊用開口部８９の内側近傍に配置されている。また、これに合わせて、天板９１側の嵌合リブ１１５と切り欠き部１２３の配置も第１の実施形態とは左右逆であり、嵌合リブ１１５の端縁が離脱防止板１０２の先端側近傍に略当接している。なお、主制御基板ケース３２内は、この離脱防止板１０２と嵌合リブ１１５とで２つの空間に仕切られ、主制御基板３１側が基板収容部３２ａ、封止手段８４側が封止収容部３２ｂとなっている。
【００７５】
以上のような構成とすることにより、第１の実施形態と同様、主制御基板ケース３２を基板ケース装着板６０に装着した状態では損壊用開口部８９は封止カバー１３１により覆われてしまうため、損壊部１０７を損壊して主制御基板ケース３２を開封するためには主制御基板ケース３２を基板ケース装着板６０から取り外す必要があり、従来よりも手間と時間を要することから遊技ホール内で他人の目を盗んで短時間で主制御基板ケース３２を開封することは困難であり、基板ケース開封によるゴト行為を効果的に防止できる。
【００７６】
更に、本実施形態では、損壊用開口部８９が、主制御基板３１の縁部を取り囲むように配置される主制御基板ケース３２の側面に設けられているため、図１０に示すように、基板収容部３２ａと封止収容部３２ｂとを主制御基板３１の面外方向に重複するように配置することができ、第１の実施形態よりも主制御基板ケース３２を小さくできる利点がある。
【００７７】
以上、本発明の実施形態について詳述したが、本発明はこれらの実施形態に限定されるものではなく、本発明の趣旨を逸脱しない範囲で種々の変更が可能である。例えば、実施形態では、主制御基板ケース３２内を、仕切板８８により基板収容部３２ａと封止収容部３２ｂとに仕切った例を示したが、必ずしも基板収容部３２ａと封止収容部３２ｂとを区切る必要はなく、基板収容部３２ａと封止収容部３２ｂとを一体にして１つの収容部内に基板と封止手段とを配置してもよい。
【００７８】
封止手段８４は、封止後は損壊部１０７を損壊しなければ開封できない構成であればよく、その他は任意の構成を採用できる。
【００７９】
第２の実施形態の場合、封止カバー１３１は、主制御基板ケース３２を基板ケース装着板６０に装着したときに損壊用開口部８９を閉鎖できるものであればどのような形状でもよい。また、封止カバー１３１は、主制御基板ケース３２の保持手段とは別に設けてもよい。
【００８０】
また、実施形態では封止カバー１３１が天板９１側の封止用開口部１０８を外側から覆うように構成したが、封止カバー１３１が封止用開口部１０８を覆わないように構成すれば、第１の実施形態と同様、封止操作については主制御基板ケース３２を基板ケース装着板６０に装着した状態で行うことが可能である。
【００８１】
本発明は、主制御基板３１を格納する主制御基板ケース３２の他、封止手段を備えた各種基板ケースについても同様に適用可能である。また、実施形態では本発明をパチンコ機に適用した例を示したが、アレンジボール機、スロットマシン等の各種遊技機において同様に実施可能であることは言うまでもない。
【図面の簡単な説明】
【００８２】
【図１】本発明の第１の実施形態を示すパチンコ機の全体正面図である。
【図２】本発明の第１の実施形態を示す遊技盤の背面図である。
【図３】本発明の第１の実施形態を示す遊技盤の側面断面図である。
【図４】本発明の第１の実施形態を示す集球ケース及び主制御基板ケースの分解斜視図である。
【図５】本発明の第１の実施形態を示す主制御基板ケースの要部背面図である。
【図６】本発明の第１の実施形態を示す主制御基板ケースの封止手段における底面断面図である。
【図７】本発明の第１の実施形態を示す主制御基板ケースの封止手段における側面断面図である。
【図８】本発明の第１の実施形態を示す封止手段の分解斜視図である。
【図９】本発明の第２の実施形態を示す集球ケース、基板ケース装着板及び主制御基板ケースの背面図である。
【図１０】本発明の第２の実施形態を示す主制御基板ケースの封止手段における底面断面図である。
【図１１】本発明の第２の実施形態を示す封止手段の分解斜視図である。
【図１２】本発明の第２の実施形態を示す主制御基板ケースの要部側面図である。
【符号の説明】
【００８３】
１    遊技機本体
３１    主制御基板（基板）
３２    主制御基板ケース（基板ケース）
３２ｂ  封止収容部
６０    基板ケース装着板（基板ケース装着部）
８１    ケース本体
８２    ケース蓋体
８４    封止手段
８５ａ  装着面
８９    損壊用開口部
１０７    損壊部
１０８    封止用開口部
【図１】
2008093095.tif 000003
【図２】
2008093095.tif 000004
【図３】
2008093095.tif 000005
【図４】
2008093095.tif 000006
【図５】
2008093095.tif 000007
【図６】
2008093095.tif 000008
【図７】
2008093095.tif 000009
【図８】
2008093095.tif 000010
【図９】
2008093095.tif 000011
【図１０】
2008093095.tif 000012
【図１１】
2008093095.tif 000013
【図１２】
2008093095.tif 000014